【手続補正書】
【提出日】平成26年6月26日(2014.6.26)
【手続補正１】
【補正対象書類名】特許請求の範囲
【補正対象項目名】全文
【補正方法】変更
【補正の内容】
【特許請求の範囲】
【請求項１】
動画像の各ピクチャを分割したブロック単位で動き補償予測を用いて符号化する動画像符号化装置であって、
符号化対象予測ブロックの動きベクトルを、前記符号化対象予測ブロックの周辺ブロックから選択される候補ブロックの内の何れかの候補ブロックの動きベクトルに基づき導出する動き情報導出部と、
前記動き情報導出部により導出された動きベクトルを用いた動き補償予測により前記符号化対象予測ブロックの予測信号を生成する動き補償予測部と
を備え、
前記動き情報導出部は、第１のブロックの動きベクトル数と第２のブロックの動きベクトル数が同一である場合、前記第１のブロックの動きベクトルが参照する参照ピクチャを示す参照インデックスと前記第２のブロックの動きベクトルが参照する参照ピクチャを示す参照インデックスが同一であるか否かによって、前記第２のブロックを候補ブロックとするか否かを判定する、
ことを特徴とする動画像符号化装置。
【請求項２】
動画像の各ピクチャを分割したブロック単位で動き補償予測を用いて符号化する動画像符号化方法であって、
符号化対象予測ブロックの動きベクトルを、前記符号化対象予測ブロックの周辺ブロックから選択される候補ブロックの内の何れかの候補ブロックの動きベクトルに基づき導出する動き情報導出ステップと、
前記動き情報導出ステップにより導出された動きベクトルを用いた動き補償予測により前記符号化対象予測ブロックの予測信号を生成する動き補償予測ステップと
を有し、
前記動き情報導出ステップにおいて、第１のブロックの動きベクトル数と第２のブロックの動きベクトル数が同一である場合、前記第１のブロックの動きベクトルが参照する参照ピクチャを示す参照インデックスと前記第２のブロックの動きベクトルが参照する参照ピクチャを示す参照インデックスが同一であるか否かによって、前記第２のブロックを候補ブロックとするか否かを判定する、
ことを特徴とする動画像符号化方法。
【請求項３】
動画像の各ピクチャを分割したブロック単位で動き補償予測を用いて符号化する動画像符号化プログラムであって、
符号化対象予測ブロックの動きベクトルを、前記符号化対象予測ブロックの周辺ブロックから選択される候補ブロックの内の何れかの候補ブロックの動きベクトルに基づき導出する動き情報導出ステップと、
前記動き情報導出ステップにより導出された動きベクトルを用いた動き補償予測により前記符号化対象予測ブロックの予測信号を生成する動き補償予測ステップと
をコンピュータに実行させ、
前記動き情報導出ステップにおいて、第１のブロックの動きベクトル数と第２のブロックの動きベクトル数が同一である場合、前記第１のブロックの動きベクトルが参照する参照ピクチャを示す参照インデックスと前記第２のブロックの動きベクトルが参照する参照ピクチャを示す参照インデックスが同一であるか否かによって、前記第２のブロックを候補ブロックとするか否かを判定する、
ことを特徴とする動画像符号化プログラム。
【請求項４】
動画像の各ピクチャを分割したブロック単位で動き補償予測を用いて符号化する動画像符号化方法により符号化された符号化ストリームをパケット化して符号化データを得るパケット処理部と、
パケット化された前記符号化データを送信する送信部と
を備え、
前記画像符号化方法は、
符号化対象予測ブロックの動きベクトルを、前記符号化対象予測ブロックの周辺ブロックから選択される候補ブロックの内の何れかの候補ブロックの動きベクトルに基づき導出する動き情報導出ステップと、
前記動き情報導出ステップにより導出された動きベクトルを用いた動き補償予測により前記符号化対象予測ブロックの予測信号を生成する動き補償予測ステップと
を有し、
前記動き情報導出ステップは、第１のブロックの動きベクトル数と第２のブロックの動きベクトル数が同一である場合、前記第１のブロックの動きベクトルが参照する参照ピクチャを示す参照インデックスと前記第２のブロックの動きベクトルが参照する参照ピクチャを示す参照インデックスが同一であるか否かによって、前記第２のブロックを候補ブロックとする、
ことを特徴とする送信装置。
【請求項５】
動画像の各ピクチャを分割したブロック単位で動き補償予測を用いて符号化する動画像符号化方法により符号化された符号化ストリームをパケット化して符号化データを得るパケット処理ステップと、
パケット化された前記符号化データを送信する送信ステップと
を有し、
前記画像符号化方法は、
符号化対象予測ブロックの動きベクトルを、前記符号化対象予測ブロックの周辺ブロックから選択される候補ブロックの内の何れかの候補ブロックの動きベクトルに基づき導出する動き情報導出ステップと、
前記動き情報導出ステップにより導出された動きベクトルを用いた動き補償予測により前記符号化対象予測ブロックの予測信号を生成する動き補償予測ステップと
を有し、
前記動き情報導出ステップは、第１のブロックの動きベクトル数と第２のブロックの動きベクトル数が同一である場合、前記第１のブロックの動きベクトルが参照する参照ピクチャを示す参照インデックスと前記第２のブロックの動きベクトルが参照する参照ピクチャを示す参照インデックスが同一であるか否かによって、前記第２のブロックを候補ブロックとする、
ことを特徴とする送信方法。
【請求項６】
動画像の各ピクチャを分割したブロック単位で動き補償予測を用いて符号化する動画像符号化方法により符号化された符号化ストリームをパケット化して符号化データを得るパケット処理ステップと、
パケット化された前記符号化データを送信する送信ステップと
をコンピュータに実行させ、
前記画像符号化方法は、
符号化対象予測ブロックの動きベクトルを、前記符号化対象予測ブロックの周辺ブロックから選択される候補ブロックの内の何れかの候補ブロックの動きベクトルに基づき導出する動き情報導出ステップと、
前記動き情報導出ステップにより導出された動きベクトルを用いた動き補償予測により前記符号化対象予測ブロックの予測信号を生成する動き補償予測ステップと
を有し、
前記動き情報導出ステップは、第１のブロックの動きベクトル数と第２のブロックの動きベクトル数が同一である場合、前記第１のブロックの動きベクトルが参照する参照ピクチャを示す参照インデックスと前記第２のブロックの動きベクトルが参照する参照ピクチャを示す参照インデックスが同一であるか否かによって、前記第２のブロックを候補ブロックとする、
ことを特徴とする送信プログラム。
【手続補正２】
【補正対象書類名】明細書
【補正対象項目名】発明の名称
【補正方法】変更
【補正の内容】
【発明の名称】動画像符号化装置、動画像符号化方法及び動画像符号化プログラム、並びに、送信装置、送信方法、及び送信プログラム
【手続補正３】
【補正対象書類名】明細書
【補正対象項目名】０００９
【補正方法】変更
【補正の内容】
【０００９】
動画像の各ピクチャを分割したブロック単位で動き補償予測を用いて符号化する動画像符号化装置であって、符号化対象予測ブロックの動きベクトルを、前記符号化対象予測ブロックの周辺ブロックから選択される候補ブロックの内の何れかの候補ブロックの動きベクトルに基づき導出する動き情報導出部と、前記動き情報導出部により導出された動きベクトルを用いた動き補償予測により前記符号化対象予測ブロックの予測信号を生成する動き補償予測部とを備え、前記動き情報導出部は、第１のブロックの動きベクトル数と第２のブロックの動きベクトル数が同一である場合、前記第１のブロックの動きベクトルが参照する参照ピクチャを示す参照インデックスと前記第２のブロックの動きベクトルが参照する参照ピクチャを示す参照インデックスが同一であるか否かによって、前記第２のブロックを候補ブロックとするか否かを判定することを特徴とする動画像符号化装置を提供する。
動画像の各ピクチャを分割したブロック単位で動き補償予測を用いて符号化する動画像符号化方法であって、符号化対象予測ブロックの動きベクトルを、前記符号化対象予測ブロックの周辺ブロックから選択される候補ブロックの内の何れかの候補ブロックの動きベクトルに基づき導出する動き情報導出ステップと、前記動き情報導出ステップにより導出された動きベクトルを用いた動き補償予測により前記符号化対象予測ブロックの予測信号を生成する動き補償予測ステップとを有し、前記動き情報導出ステップにおいて、第１のブロックの動きベクトル数と第２のブロックの動きベクトル数が同一である場合、前記第１のブロックの動きベクトルが参照する参照ピクチャを示す参照インデックスと前記第２のブロックの動きベクトルが参照する参照ピクチャを示す参照インデックスが同一であるか否かによって、前記第２のブロックを候補ブロックとするか否かを判定することを特徴とする動画像符号化方法を提供する。
動画像の各ピクチャを分割したブロック単位で動き補償予測を用いて符号化する動画像符号化プログラムであって、符号化対象予測ブロックの動きベクトルを、前記符号化対象予測ブロックの周辺ブロックから選択される候補ブロックの内の何れかの候補ブロックの動きベクトルに基づき導出する動き情報導出ステップと、前記動き情報導出ステップにより導出された動きベクトルを用いた動き補償予測により前記符号化対象予測ブロックの予測信号を生成する動き補償予測ステップとをコンピュータに実行させ、前記動き情報導出ステップにおいて、第１のブロックの動きベクトル数と第２のブロックの動きベクトル数が同一である場合、前記第１のブロックの動きベクトルが参照する参照ピクチャを示す参照インデックスと前記第２のブロックの動きベクトルが参照する参照ピクチャを示す参照インデックスが同一であるか否かによって、前記第２のブロックを候補ブロックとするか否かを判定することを特徴とする動画像符号化プログラムを提供する。
動画像の各ピクチャを分割したブロック単位で動き補償予測を用いて符号化する動画像符号化方法により符号化された符号化ストリームをパケット化して符号化データを得るパケット処理部と、パケット化された前記符号化データを送信する送信部とを備え、前記画像符号化方法は、符号化対象予測ブロックの動きベクトルを、前記符号化対象予測ブロックの周辺ブロックから選択される候補ブロックの内の何れかの候補ブロックの動きベクトルに基づき導出する動き情報導出ステップと、前記動き情報導出ステップにより導出された動きベクトルを用いた動き補償予測により前記符号化対象予測ブロックの予測信号を生成する動き補償予測ステップとを有し、前記動き情報導出ステップは、第１のブロックの動きベクトル数と第２のブロックの動きベクトル数が同一である場合、前記第１のブロックの動きベクトルが参照する参照ピクチャを示す参照インデックスと前記第２のブロックの動きベクトルが参照する参照ピクチャを示す参照インデックスが同一であるか否かによって、前記第２のブロックを候補ブロックとすることを特徴とする送信装置を提供する。
動画像の各ピクチャを分割したブロック単位で動き補償予測を用いて符号化する動画像符号化方法により符号化された符号化ストリームをパケット化して符号化データを得るパケット処理ステップと、パケット化された前記符号化データを送信する送信ステップとを有し、前記画像符号化方法は、符号化対象予測ブロックの動きベクトルを、前記符号化対象予測ブロックの周辺ブロックから選択される候補ブロックの内の何れかの候補ブロックの動きベクトルに基づき導出する動き情報導出ステップと、前記動き情報導出ステップにより導出された動きベクトルを用いた動き補償予測により前記符号化対象予測ブロックの予測信号を生成する動き補償予測ステップとを有し、前記動き情報導出ステップは、第１のブロックの動きベクトル数と第２のブロックの動きベクトル数が同一である場合、前記第１のブロックの動きベクトルが参照する参照ピクチャを示す参照インデックスと前記第２のブロックの動きベクトルが参照する参照ピクチャを示す参照インデックスが同一であるか否かによって、前記第２のブロックを候補ブロックとすることを特徴とする送信方法を提供する。
動画像の各ピクチャを分割したブロック単位で動き補償予測を用いて符号化する動画像符号化方法により符号化された符号化ストリームをパケット化して符号化データを得るパケット処理ステップとパケット化された前記符号化データを送信する送信ステップとをコンピュータに実行させ、前記画像符号化方法は、符号化対象予測ブロックの動きベクトルを、前記符号化対象予測ブロックの周辺ブロックから選択される候補ブロックの内の何れかの候補ブロックの動きベクトルに基づき導出する動き情報導出ステップと、前記動き情報導出ステップにより導出された動きベクトルを用いた動き補償予測により前記符号化対象予測ブロックの予測信号を生成する動き補償予測ステップを有し、前記動き情報導出ステップは、第１のブロックの動きベクトル数と第２のブロックの動きベクトル数が同一である場合、前記第１のブロックの動きベクトルが参照する参照ピクチャを示す参照インデックスと前記第２のブロックの動きベクトルが参照する参照ピクチャを示す参照インデックスが同一であるか否かによって、前記第２のブロックを候補ブロックとすることを特徴とする送信プログラムを提供する。
【手続補正４】
【補正対象書類名】明細書
【補正対象項目名】００１０
【補正方法】削除
【補正の内容】